(57)【要約】【課題】  平面内において、様々な立体を創出する過程を通じて思考力の育成を図ることのできる簡易な立体遊び用シールセットを提供すること。【解決手段】  台紙１０の一方の面に粘着剤層１３を介して複数のシール片Ｓ１〜Ｓ６が仮着されている。シール片Ｓ１〜Ｓ６は濃度が異なる領域を有するように着色されて立体的に見え、台紙１０から剥離して貼付用ボード１２に貼り付けることで、様々な立体形状をボード面上で形成することがきる。【選択図】          図４
2006218212.tif 000002
【特許請求の範囲】
【請求項１】
台紙と、当該台紙に仮着されるとともに、台紙から分離可能に設けられた複数のシール片とを含み、
前記シール片は、表面に立体形状を表出する印刷が施されるとともに、被着体に対して接着可能に設けられていることを特徴とする立体遊び用シールセット。
【請求項２】
台紙と、当該台紙に粘着剤層を介して仮着されるとともに、当該粘着剤層と共に台紙から剥離可能に設けられた複数のシール片とを含み、
前記シール片は、表面に立体形状を表出する印刷が施されるとともに、被着体に対して接着可能に設けられていることを特徴とする立体遊び用シールセット。
【請求項３】
前記シール片は再接着可能に設けられていることを特徴とする請求項１又は２記載の立体遊び用シールセット。
【請求項４】
前記シール片は相似形状となる複数のサイズを備えていることを特徴とする請求項１，２又は３記載の立体遊び用シールセット。
【請求項５】
前記シール片を貼り付ける貼付用ボードを更に含み、当該貼付用ボードの少なくとも一方の面にガイドラインが印刷されていることを特徴とする請求項１，２，３，又は４記載の立体遊び用シールセット。
【請求項６】
前記シール片は、有彩色若しくは無彩色の着色印刷が施され、当該色の濃度が異なる領域を設けることで前記立体形状が表出されることを特徴とする請求項１ないし５の何れかに記載の立体遊び用シールセット。
【請求項７】
前記シール片の表面は透明カバーフィルムで保護されていることを特徴とする請求項１ないし６の何れかに記載の立体遊び用シールセット。
【発明の詳細な説明】
【技術分野】
【０００１】
本発明は立体遊び用シールセットに係り、更に詳しくは、立体的に認識できる印刷が施された複数のシール片を台紙から容易に剥離することができるとともに、剥離したシール片を貼付用のボード等に任意に貼り付けて種々の立体形状を視覚的に認識させることのできる立体遊び用シールセットに関する。
【背景技術】
【０００２】
従来より、幼児等が立体的な遊びを行う道具として積み木が一般的に用いられており、当該積み木を構成する種々の立体形状を備えたブロックを縦横に組み合わせたり、或いは、積み上げることによって様々な立体を遊び感覚で視覚的に認識できるようになっている。しかしながら、積み木は、複数のブロックによって構成されているものであり、崩れ易いという特性がある他、不使用時の保管スペースが嵩張る、という不都合がある。また、個々のブロックは、それ自体が定型性を有しているため、ブロック自体の形状を変化させることは不可能となっており、立体創造のバリエーションが限定的なものとなる。
【０００３】
特許文献１には、片状の造形構成体を用い、当該造形構成体を平面内に並べて種々の造形を行うことのできる造形作製用具が開示されている。
【０００４】
【特許文献１】特開２０００−２０２１７４号公報
【発明の開示】
【発明が解決しようとする課題】
【０００５】
しかしながら、特許文献１に記載された造形構成体は、磁性板の面にシートを貼り付けたものにより構成されており、利用に際しては、金属板等に磁気接着させるものとなっている。従って、造形構成体は、それ自体に一定の厚みを有するものによって構成されることとなり、薄型化を図ることができないばかりでなく、個々の造形構成体を作製する工程が非常に煩雑になる、という不都合がある。しかも、磁気接着させる利用形態であるため、紙等、磁気接着に適さないボードへの接着を行うことができず、利用形態に一定の制約を伴う、という不都合がある。
【０００６】
ところで、各種福祉施設や医療施設においては、身体的機能の低下抑制や、改善を図るための種々のリハビリテーションが採用されている。周知のように、人間は、脳から与えられる指令に基づいて一定の動作が行われるものであり、従って、高齢化による脳機能の低下に伴って身体動作が緩慢になると、手足の自由且つ柔軟な動作を阻害する要因となる。そこで、前記施設等においては、指先を積極的に使うように設計された様々な補助具が採用され、当該補助具を介して機能低下等の抑制や改善を図る試みが一般的に行われている。
【０００７】
［発明の目的］
ここに、本発明の目的は、幼児を主たる対象とし、様々な立体を創出する過程を通じて思考力の育成を図ることのできる簡易な立体遊び用シールセットを提供することにある。
【０００８】
また、本発明の他の目的は、指先等の積極的動作の奨励を企図し、福祉施設等におけるリハビリテーションの補助具として簡易に利用可能な立体遊び用シールセットを提供することにある。
【課題を解決するための手段】
【０００９】
前記目的を達成するため、本発明に係る立体遊び用シールセットは、台紙と、当該台紙に仮着されるとともに、台紙から分離可能に設けられた複数のシール片とを含み、
前記シール片は、表面に立体形状を表出する印刷が施されるとともに、被着体に対して接着可能に設けられる、という構成を採っている。
【００１０】
また、本発明は、台紙と、当該台紙に粘着剤層を介して仮着されるとともに、当該粘着剤層と共に台紙から剥離可能に設けられた複数のシール片とを含み、
前記シール片は、表面に立体形状を表出する印刷が施されるとともに、被着体に対して接着可能に設けられる、という構成を採ることができる。
【００１１】
本発明において、前記シール片は再接着可能に設けられる、という構成を採っている。
【００１２】
また、前記シール片は相似形状となる複数のサイズを備えた構成とすることが好ましい。
【００１３】
また、前記シール片を貼り付ける貼付用ボードを更に含み、当該貼付用ボードの少なくとも一方の面にガイドラインが印刷される、という構成を採るとよい。
【００１４】
更に、前記シール片は、有彩色若しくは無彩色の着色印刷が施され、当該色の濃度が異なる領域を設けることで前記立体形状が表出される、という構成を採っている。
【００１５】
また、前記シール片の表面を透明カバーフィルムで保護することが好ましい。
【発明の効果】
【００１６】
本発明によれば、シール片の表面に立体形状を表出する印刷が施されているため、非常に薄いもので構成することができる他、シール片を台紙から剥離して被着体の面に並べるように貼り付けたり、或いは重ね貼りすることで、平面内において、様々な立体形状を創出させることが可能となる。また、シール片は、再接着が可能であるため、貼り付け位置の変更に難なく対応できるとともに、不使用時には、台紙上に仮着させておくことで紛失の虞を解消しつつ平面収納を実現することができる。
【００１７】
また、シール片は相似形状となる複数のサイズを備えた構成により、例えば、大きいサイズの立方体形状を表出するシール片の領域内に、小さいサイズの立方体形状を表出するシール片を重ね貼りしたときに、大きいサイズの立方体の面部分を陥没させたり、或いは突出するように見せることができ、積み木では得ることのできない種々のバリエーションを付与することが可能となる。
【００１８】
更に、ガイドラインが印刷された貼付用ボードを用いてシール片を貼り付ける構成とした場合には、シール片を貼り付ける位置を容易に特定し易くなり、例えば、ガイドラインを道路と仮定して、建物類似の構造体が立ち並んでいるような遊びが可能となる。
【００１９】
また、シール片の各面毎に色彩の濃度を変えて立体形状を表出させることで、陰影の向きにより立体がどのように見えるかの創造力を育成することができる。
【００２０】
更に、シール片の表面を透明カバーフィルムで保護する構成とすれば、印刷面の鮮明性を長期に亘って維持できるとともに、汚損した場合でも、拭き取りによって除去することが容易となる。
【発明を実施するための最良の形態】
【００２１】
以下、本発明の好ましい実施形態を図面を参照しながら説明する。
【００２２】
図１には、本実施形態に係る立体遊び用シールセットが示されている。この図において、立体遊び用シールセットは、平面視略方形をなす台紙１０の一方の面にシールＳ、具体的には六種類のシール片Ｓ１〜Ｓ６が仮着されたシール保持体１１（図１（Ａ）参照）と、前記シール片Ｓ１〜Ｓ６を貼付するための貼付用ボード１２（図１（Ｂ）参照）とを備えて構成されている。
【００２３】
前記シール保持体１１において、台紙１０は、一方の面すなわちシール片Ｓ１〜Ｓ６の仮着面側をシリコーン樹脂等でコーティングした剥離処理面とされている。シール片Ｓ１〜Ｓ６は、図２に示されるように、裏面側に粘着剤層１３が積層され、当該粘着剤層１３を介して台紙１０に仮着されている。ここで、粘着剤層１３は、アクリル系の微粘着剤が用いられ、これにより、シール片Ｓ１〜Ｓ６を粘着剤層１３と共に台紙１０から容易に剥離できる一方、貼付用ボード１２に対して貼付と剥離を繰り返して行うことができ、更に、シール片Ｓ１〜Ｓ６の不使用時に、当該シール片Ｓ１〜Ｓ６を台紙１０に再仮着して保存できるようになっている。なお、シール片Ｓ１〜Ｓ６の表面側には、カバーフィルムＦが剥離不能な状態で接着されている。
【００２４】
前記シール片Ｓ１〜Ｓ６は、図１（Ａ）及び図２に示されるように、台紙１０の平面積と略同一となる略方形のシール片形成シート１５と、カバーフィルムＦを貼付した後、これらカバーフィルムＦとシール片形成シート１５の面内をプレス型にてハーフカットＣを設けることで、台紙１０を打ち抜かない状態で多数に区分されている。ここで、本実施形態におけるシール片形成シート１５の地色は、例えば、白色に設定されている。
【００２５】
前記シール片Ｓ１〜Ｓ６の面内には、シール片形成シート１５の地色と色違いとなる有彩色若しくは無彩色による着色印刷が施されている。ここで、シール片Ｓ１及びＳ４を形成するハーフカットＣは菱形となるが、左右各領域における色の濃度を異ならせることで、視覚上は四角錐として認識できるように設けられている。また、シール片Ｓ２、Ｓ５を形成するハーフカットＣは略甲羅状となるが、上部、左下半部、右下半部の各色濃度を順次濃くするように異ならせることで、視覚上は立方体として認識できるように設けられている。また、シール片Ｓ３は一部の辺長さを短く設定して直方体として認識され、シール片Ｓ６は、外周側の濃度を相対的に濃く設けることで球として認識できるように設けられている。
【００２６】
図３（Ａ）〜（Ｆ）には、前記シール片Ｓ１〜Ｓ６の拡大図がそれぞれ示されている。シール片Ｓ１、Ｓ２、Ｓ３における辺長さＬはそれぞれ等しい長さであり、シール片Ｓ３〜Ｓ６における辺長さＬ１若しくは直径Ｄは、辺長さＬの１／２に設定され、これにより、相似形状を含むシール片Ｓが提供できるようになっている。
【００２７】
前記貼付用ボード１２は、図１（Ｂ）に示されるように、外周縁の直線方向に対して傾斜した方向に延びるガイドライン２０が印刷されている。このガイドライン２０は、貼付用ボード１２の一つの対角方向に沿って延びる第１のガイドライン２０Ａと、他の対角方向に沿って延びる第２のガイドライン２０Ｂとにより構成されているとともに、各ガイドライン２０Ａ，２０Ｂに適当な幅を持たせることで、シール片Ｓを貼り付ける際に、道路のように認識できるようになっている。なお、貼付用ボード１２の他方の面は、地色若しくは単一色が印刷されている。
【００２８】
本実施形態に係る立体遊び用シールセットで立体遊びを行う場合には、図４に示されるように、ガイドライン２０Ａ、２０Ｂを目安として、シール片Ｓ１〜Ｓ６を貼り付けることにより行われる。例えば、シール片Ｓ２の面内中央部にシール片Ｓ５を重ね貼りすると、立方体の一部コーナーを陥没させた形状に見せることができる。また、シール片Ｓ２，Ｓ３のコーナー領域を除く面内にシール片Ｓ４を重ね貼りすると、立方体及び直方体の面内を部分的に陥没した形状に見せることができる。
【００２９】
従って、前記シール片Ｓ１〜Ｓ６を台紙１０から剥離して、貼付用ボード１２に貼り付けることで、種々の立体形状を平面内で組み立てることができ、陰影の向き等に応じて、どのように立体を見せることができるか等、幼児にとって、遊び感覚による学習を行わせることができる。
【００３０】
また、前記シール片Ｓ１〜Ｓ６は、剥離及び貼り付けに際し、指先での作業となるため、身体的機能が低下した高齢者にあっては、指先の動作を奨励でき、機能改善を図るための補助具としても効果的に利用することができる。
【００３１】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、位置、数量その他の詳細な構成において、当業者が様々な変形を加えることができるものである。
従って、上記に開示した形状、位置、数量などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００３２】
例えば、前記実施形態では、六種類の立体形状を表出するシール片Ｓ１〜Ｓ２を図示、説明したが、更に異なる立体形状を表出するシール片を採用することができる。要するに、本発明は、様々な立体形状を平面内で表すことができるものであれば足りる。
【図面の簡単な説明】
【００３３】
【図１】（Ａ）は、本実施形態に係る立体遊び用シールセットを構成するシール保持体の概略斜視図、（Ｂ）は、シールを貼り付けるための貼付用ボードの一方の面を示す概略斜視図。
【図２】図１のＡ−Ａ線に沿う矢視拡大断面図。
【図３】（Ａ）〜（Ｆ）は、それぞれシール片Ｓ１〜Ｓ６の拡大正面図。
【図４】前記シール片Ｓ１〜Ｓ６を貼付用ボードに貼付した状態を示す正面図。
【符号の説明】
【００３４】
１０  台紙
１２  貼付用ボード
１３  粘着剤層
２０  ガイドライン
Ｆ  カバーフィルム
Ｓ、Ｓ１〜Ｓ６  シール片
【図１】
2006218212.tif 000003
【図２】
2006218212.tif 000004
【図３】
2006218212.tif 000005
【図４】
2006218212.tif 000006